(57)【要約】【課題】外部アンテナへの駆動電圧を生成する回路が不要なときに動作して電力が無駄に消費されることを防止する。【解決手段】共通の電源回路７から出力される電圧を変圧して外部アンテナ４の接続口５へアンテナ駆動電圧として供給するアンテナ駆動電圧生成回路１１を備える電気機器であって、アンテナ駆動電圧生成回路１１と接続口５との接続線路１３に２個のダイオードＤ１、Ｄ２を直列に配し、その両端（Ａ点、Ｂ点）に電圧が生じたときに、電流検出信号１４を出力するスイッチ回路１５を備える。電源回路７とアンテナ駆動電圧生成回路１１との間にはスイッチ制御回路１０からの制御信号１０ａによって入切されるスイッチ９を配する。スイッチ制御回路１０は、電流検出信号１４を受信しないときには、スイッチ９をオフにするので、外部アンテナ４が接続されていないときにアンテナ駆動電圧生成回路１１が動作して電力が無駄に消費されることを防止できる。【選択図】図１
2013239954.tif 000002
【特許請求の範囲】
【請求項１】
外部機器の接続口と、
前記接続口を介して外部機器に駆動電圧を供給する駆動電圧生成回路と、
前記外部機器の接続状況に応じて共通電源から前記駆動電圧生成回路への電源供給をオンオフするスイッチと、を備えることを特徴とする電気機器。
【請求項２】
外部アンテナが着脱自在であって、前記外部アンテナに駆動電圧を供給するためのアンテナ接続口と、
共通電源の電圧から前記駆動電圧を生成するためのアンテナ駆動電圧生成回路と、
前記共通電源から前記アンテナ駆動電圧生成回路への電圧供給を入切するスイッチと、
前記アンテナ接続口に前記駆動電圧を供給したときに、前記アンテナ接続口に流れる電流の有無を検出する電流検出回路と、
前記電流検出回路が前記アンテナ接続口に電流が流れていないことを検出したときに、前記スイッチを切るスイッチ制御手段と、を備えることを特徴とする電気機器。
【請求項３】
前記電流検出回路が、
前記アンテナ駆動電圧生成回路と前記アンテナ接続口との間に配された電圧降下素子と、
前記電圧降下素子の両端に電圧が生じたときに、前記スイッチ制御手段へ電流検出信号を出力するスイッチ回路と、を備えることを特徴とする請求項２に記載の電気機器。
【請求項４】
前記電圧降下素子が直列に接続された複数のダイオードであることを特徴とする請求項３に記載の電気機器。
【請求項５】
前記スイッチ制御手段は、前記スイッチを所定の時間間隔でオンしたときに、前記電流検出回路からの電流検出信号が有る場合に前記スイッチのオンを維持し、電流検出信号が無い場合に前記スイッチをオフすることを特徴とする請求項３又は請求項４に記載の電気機器。
【請求項６】
前記電流検出回路が、
前記アンテナ接続口へ電圧を供給する前記アンテナ駆動電圧生成回路とは別の電源と前記アンテナ接続口との間に配された電圧降下素子と、
前記電圧降下素子の両端に電圧が生じたときに、前記スイッチ制御手段へ電流検出信号を出力するスイッチ回路と、を備えることを特徴とする請求項２に記載の電気機器。
【請求項７】
前記電圧降下素子が、ダイオード又は抵抗であることを特徴とする請求項３又は請求項６に記載の電気機器。
【発明の詳細な説明】
【技術分野】
【０００１】
本発明は、電気機器に関し、詳しくは、外部アンテナなどの外部機器が着脱自在に接続可能であって、接続した外部機器に対して所定の電圧を供給して駆動させる電気機器に関する。
【背景技術】
【０００２】
従来からテレビジョン受像機にはBS／CS放送受信用の外部アンテナ（外部機器）が接続可能になっており、上記外部アンテナは受信した電波の周波数変換用コンバータを備えることから外部アンテナに対して所定の駆動電圧を供給するようになっている（例えば、特許文献１、２参照）。外部アンテナの駆動電圧としては、通常１５ボルトが必要であり、テレビジョン受像機の共通電源からの電圧（例えば１２ボルト）を昇圧することによって生成される。
【０００３】
図５において、従来装置としてのディジタルテレビジョン受像機（以下、TV受像機）１００を具体的に説明する。TV受像機１００は、筺体１０１の側面に、アンテナケーブル１０２を介してBS／CSアンテナ１０３を着脱自在に接続できる接続口１０４を備え、液晶パネル１０５などの各部に対する種々の電圧を生成する共通電源回路１０６から出力される電圧（１２ボルト）を、アンテナ駆動電圧生成回路１０７によって１５ボルトに昇圧して接続口１０４に供給するようになっている。
【０００４】
電源回路１０６とアンテナ駆動電圧生成回路１０７との間には、制御回路１０８からの制御信号１０９に応じて入切するスイッチ１１０が設けられる。ユーザは、BS／CSアンテナ１０３を接続口１０４に接続したときに、リモコン１１１を操作することによって制御回路１０８を介してスイッチ１１０をオンし、アンテナ駆動電圧生成回路１０７を動作させてBS／CSアンテナ１０３に駆動電圧を供給するようになっている。
【先行技術文献】
【特許文献】
【０００５】
【特許文献１】特開２０１１−２４４３３５号公報
【特許文献２】特開２００３−２３００７２号公報
【発明の概要】
【発明が解決しようとする課題】
【０００６】
ところで、スイッチ１１０の切換えは、ユーザの手動操作により行われるので、ユーザが切換え操作を誤ったり怠ったりすると、当初からBS／CSアンテナ１０３を接続しない場合や、一旦接続したBS／CSアンテナ１０３を都合により取り外した場合でも、スイッチ１１０がオンになったまま放置されることがある。この場合には、アンテナ駆動電圧生成回路１０７が無駄に動作して不要な電力を消費してしまうことになる。
【０００７】
そこで、本発明は、上記課題を解決するものであり、外部アンテナなどの外部機器が接続されていない状態であるにも拘わらず、外部機器への駆動電圧を生成する駆動電圧生成回路が動作して電力が無駄に消費されることがない電気機器を提供することを目的とする。
【課題を解決するための手段】
【０００８】
上記課題を解決するために、請求項１の発明は、外部機器の接続口と、前記接続口を介して外部機器に駆動電圧を供給する駆動電圧生成回路と、前記外部機器の接続状況に応じて共通電源から前記駆動電圧生成回路への電源供給をオンオフするスイッチと、を備えることを特徴とする電気機器である。上記構成によれば、駆動電圧生成回路が無駄に動作することを防止できるので、省電力を図ることができる。
【０００９】
請求項２の発明は、外部アンテナが着脱自在であって、前記外部アンテナに駆動電圧を供給するためのアンテナ接続口と、共通電源の電圧から前記駆動電圧を生成するためのアンテナ駆動電圧生成回路と、前記共通電源から前記アンテナ駆動電圧生成回路への電圧供給を入切するスイッチと、前記アンテナ接続口に前記駆動電圧を供給したときに、前記アンテナ接続口に流れる電流の有無を検出する電流検出回路と、前記電流検出回路が前記アンテナ接続口に電流が流れていないことを検出したときに、前記スイッチを切るスイッチ制御手段と、を備えることを特徴とする電気機器である。上記構成によれば、アンテナ接続口に駆動電圧を供給したときに電流が流れていないことを検出した場合には、スイッチを切るので、外部アンテナが接続されていない状態であるにも拘わらずアンテナ駆動電圧生成回路が動作して電力が無駄に消費されることを防止できる。
【００１０】
請求項３の発明は、請求項２に記載の発明において、前記電流検出回路が、前記アンテナ駆動電圧生成回路と前記アンテナ接続口との間に配された電圧降下素子と、前記電圧降下素子の両端に電圧が生じたときに、前記スイッチ制御手段へ電流検出信号を出力するスイッチ回路と、を備えることを特徴とする。上記構成によれば、簡単な構成であるにも拘わらず電流が発生しないことを正確に検出することができ、ひいては電力が無駄に消費されることを的確に防止できる。
【００１１】
請求項４の発明は、請求項３に記載の発明において、前記電圧降下素子が直列に接続された複数のダイオードであることを特徴とする。上記構成によれば、構成が簡単である上に電流が発生しないことを正確に検出できる。
【００１２】
請求項５の発明は、請求項３又は請求項４に記載の発明において、前記スイッチ制御手段は、前記スイッチを所定の時間間隔でオンしたときに、前記電流検出回路からの電流検出信号が有る場合に前記スイッチのオンを維持し、電流検出信号が無い場合に前記スイッチをオフすることを特徴とする。上記構成によれば、無駄に消費される電力を減らすことができる。
【００１３】
請求項６の発明は、請求項２に記載の発明において、前記電流検出回路が、前記アンテナ接続口へ電圧を供給する前記アンテナ駆動電圧生成回路とは別の電源と前記アンテナ接続口との間に配された電圧降下素子と、前記電圧降下素子の両端に電圧が生じたときに、前記スイッチ制御手段へ電流検出信号を出力するスイッチ回路と、を備えることを特徴とする。上記構成によれば、アンテナ接続口に電流が流れるか否かを検出するためだけにアンテナ電源回路を駆動する必要がなく、その分だけ無駄に消費される電力を減らすことができる。
【００１４】
請求項７の発明は、請求項３又は請求項６に記載の発明において、前記電圧降下素子がダイオード又は抵抗であることを特徴とする。上記構成によれば、構成が簡単である上に電流が流れないことを正確に検出できる。
【発明の効果】
【００１５】
本発明によれば、外部アンテナなどの外部機器の接続状況に応じて共通電源から駆動電圧生成回路への電源供給をオンオフするので、外部アンテナなどの外部機器が接続されていない状態であるにも拘わらず駆動電圧生成回路が動作して電力が無駄に消費されることを防止できる。
【図面の簡単な説明】
【００１６】
【図１】本発明の第１の実施形態に係る電気機器のブロック図。
【図２】同電気機器におけるスイッチ制御回路の動作手順を示すフローチャート。
【図３】同第２の実施形態に係る電気機器のブロック図。
【図４】同電気機器におけるスイッチ制御回路の動作手順を示すフローチャート。
【図５】従来の電気機器を示すブロック図。
【発明を実施するための形態】
【００１７】
（第１の実施形態）
以下、本発明の第１の実施形態に係る電気機器について、図１、２を参照して説明する。本実施形態の電気機器は、ディジタルテレビジョン受像機（以下、TV受像機）１であり、筺体２の側面にアンテナケーブル３を介して外部機器としてのBS／CSアンテナ（以下、外部アンテナ）４を着脱自在に接続可能なアンテナ接続口５を備える。外部アンテナ４は受信した電波の周波数を変換するためのコンバータ４ａを備える。
【００１８】
筺体２内には、液晶パネル６や映像回路（不図示）などのテレビ各部に種々の異なった電圧を供給する共通の電源回路７を備え、電源回路７のＤＣ１２ボルトの出力端子８にスイッチ９を介してアンテナ駆動電圧生成回路１１が接続されている。スイッチ９の入切は、スイッチ制御回路（スイッチ制御手段）１０からの制御信号１０ａにより制御される。スイッチ制御回路１０はマイクロコンピュータから構成され、その制御動作については後述する。
【００１９】
アンテナ駆動電圧生成回路１１は、電流検出回路１２を介してアンテナ接続口５に接続され、電源回路７から供給されるＤＣ１２ボルトの電圧をコンバータ４ａの駆動電圧であるＤＣ１５ボルトに昇圧してアンテナ接続口５に供給する。なお、アンテナ接続口５には、放電抵抗としての高抵抗Ｒ１と、コンデンサＣ１が接続されている。
【００２０】
電流検出回路１２は、アンテナ駆動電圧生成回路１１とアンテナ接続口５との接続線路１３に直列に挿入された電圧降下素子としてのダイオードＤ１、Ｄ２と、ダイオードＤ１、Ｄ２の両端に電圧が生じたときに、スイッチ制御回路１０に電流検出信号１４を出力するスイッチ回路１５と、を備える。
【００２１】
スイッチ回路１５は、ダイオードＤ１、Ｄ２のアノード側（Ａ点）にエミッタを接続し、カソード側（Ｂ点）に抵抗Ｒ２を介してベースを接続したトランジスタＱ１と、エミッタ・ベース間（Ａ−Ｂ間）に生じる電圧によりトランジスタＱ１がオンになったときに、抵抗Ｒ３、Ｒ４により分圧された電圧がベースに印加されてオンになるトランジスタＱ２と、を備える。トランジスタＱ２のコレクタには、抵抗Ｒ５を介して電源回路７から供給される所定電圧の電源１６が接続され、該電源１６からの電流が、トランジスタＱ２がオンになったときに電流検出信号１４としてスイッチ制御回路１０に出力される。また、トランジスタＱ１のエミッタ・ベース間には、トランジスタＱ１の誤動作を防止するための抵抗Ｒ６が設けられる。なお、ダイオードＤ１、Ｄ２は２個が直列に設けられるので、接続線路１３に電流が生じたときに、ダイオードを１個だけ設けた場合よりも大きな電圧降下が得られ、その分だけトランジスタＱ１のオン動作を確実にすることができ、ひいては電流検出信号１４を確実に出力することができる。
【００２２】
次に、スイッチ制御回路１０の制御動作について、図２のフローチャートを参照して説明する。スイッチ制御回路１０は、スイッチ９に対して所定の時間間隔（例えば５秒）で制御信号１０ａを出力し、スイッチ９を短時間だけオンさせ（Ｓ１）、そのときに電流検出回路１２から電流検出信号１４が出力されるか否か（外部アンテナ４が接続されているか否か）を判定する（Ｓ２）。
【００２３】
電流検出信号１４が有る（外部アンテナ４が接続されている）場合には（Ｓ２でＹＥＳ）、制御信号１０ａのオン出力を維持してスイッチ９をオンのまま維持する（Ｓ３）。電流検出信号１４が無い（外部アンテナ４が接続されていない）場合には（Ｓ２でＮＯ）、制御信号１０ａをオフ出力に変えて（又は、オン出力を停止して）スイッチ９をオフする（Ｓ４）。
【００２４】
本TV受像機１は、上記の通り、アンテナ接続口５における電流発生の検出の有無に応じて電源回路７からアンテナ駆動電圧生成回路１１への電源供給のオンオフを制御するので、ユーザが行う外部アンテナ４の接続又は取り外しに応じて、アンテナ駆動電圧生成回路１１への電源の供給・停止が自動的に行われることになり、アンテナ駆動電圧生成回路１１への電源の供給を手動で設定する手間が省けると共に、共通電源からアンテナ駆動電圧生成回路１１への無駄な電源供給を防止でき、省電力を図ることができる。
【００２５】
具体的には、例えば、ユーザが接続していた外部アンテナ４を都合により取り外した場合に、短時間のうちに電源回路７からアンテナ駆動電圧生成回路１１への電源供給が停止されるので、アンテナ駆動電圧生成回路１１によって無駄に消費される電力を可能な限り抑えることができる。また、アンテナケーブル３が内部で断線した場合のように、外見上からは外部アンテナ４の接続が維持されているように見える場合であっても、外部アンテナ４が正常に接続されていないことを確実に検出して電力が無駄に消費されることを防止することができる。
【００２６】
なお、リモコンなどの入力手段（不図示）からの制御信号を、付加的にスイッチ制御回路１０に入力できるようにして、ユーザが手動によってもスイッチ制御回路１０の制御信号１０ａを切換え、スイッチ９の入切操作を行えるようにしてもよい。この場合、ユーザが外部アンテナ４を取り外した後にユーザ自身が入力手段を用いてアンテナ駆動電圧生成回路１１への電源供給を停止することを怠っても、電流検出回路１２からの電流検出信号１４が無くなったことを検出したときに、短時間のうちにスイッチ９がオフされるので、無駄な電力消費が防止される。
【００２７】
（第２の実施形態）
第２の実施形態に係る電気機器は、図３、４に示すように、第１の実施形態のＴＶ受像機１とほぼ同様の構成のＴＶ受像機２１であり、同一の構成部分については、同一の番号を付して説明を省略する。第２の実施形態のＴＶ受像機２１は、第１の実施形態のＴＶ受像機１と比べて、電流検出回路２２の構成及びスイッチ制御回路１０の制御手順が異なる。
【００２８】
具体的には、第１の実施形態のＴＶ受像機１では、電圧降下素子としてのダイオードＤ１、Ｄ２をアンテナ駆動電圧生成回路１１とアンテナ接続口５との接続線路１３に直接設けていたが、第２の実施形態のＴＶ受像機２１では、電圧降下素子としてのダイオードＤ１、Ｄ２を、電源回路７から供給される別の電圧の電源２３と接続線路１３とを結ぶ別の線路２４に設けている。電源２３の出力電圧は、実質的にコンバータ４ａの駆動電圧（ＤＣ１５ボルト）に相当するが、それよりも低い電圧（例えば、ＤＣ１２ボルト）であってもよい。また、電源２３とダイオードＤ１、Ｄ２との間にはスイッチ制御回路１０からの制御信号１０ｂによって入切制御される第２のスイッチ２５が設けられる。ダイオードＤ１、Ｄ２の両端（Ｃ点、Ｄ点）に電圧が生じたときにスイッチ制御回路１０へ電流検出信号１４を出力するスイッチ回路１５は、第１の実施形態におけるものと同一の構成である。なお、接続線路１３には逆流防止のためのダイオードＤ３が設けられる。
【００２９】
次に、スイッチ制御回路１０の制御動作について、図４のフローチャートを参照して説明する。スイッチ制御回路１０は、第２のスイッチ２５に対して所定の時間間隔（例えば５秒）で制御信号１０ｂを出力し、第２のスイッチ２５を短時間だけオンさせ（Ｓ２１）、そのときに電流検出回路２２から電流検出信号１４が出力されるか否か（外部アンテナ４が接続されているか否か）を判定する（Ｓ２２）。
【００３０】
第２のスイッチ２５がオンされたときに、電源２３からはコンバータ４ａの駆動電圧と同等の電圧が供給されるので、第１の実施形態と同様に、アンテナ接続口５に外部アンテナ４が接続されている場合には、ダイオードＤ１、Ｄ２の両端に電圧が生じ、スイッチ回路１５が電流検出信号１４を出力し、外部アンテナ４が接続されていると判定する（Ｓ２２でＹＥＳ）。スイッチ回路１５が電流検出信号１４を出力しない場合には、外部アンテナ４が接続されていないと判定する（Ｓ２２でＮＯ）。
【００３１】
Ｓ２２でＹＥＳと判定したときには、制御信号１０ａを出力してスイッチ９（第１のスイッチ）をオンし（Ｓ２３）、アンテナ駆動電圧生成回路１１に電源を供給した後に、第２のスイッチ２５をオフする（Ｓ２５）。また、Ｓ２２でＮＯと判定したときには、制御信号１０ａを出力せず、スイッチ９（第１のスイッチ）をオフのまま維持し（Ｓ２４）、第２のスイッチ２５をオフする（Ｓ２５）。
【００３２】
上記の通り、本TV受像機２１は、第１の実施形態のＴＶ受像機１と同様に、ユーザが行う外部アンテナ４の接続又は取り外しに応じて、アンテナ電源回路１１への電源の供給・停止が自動的に行われるので、アンテナ駆動電圧生成回路１１への電源の供給を手動で設定する手間が省けると共に、アンテナ駆動電圧生成回路１１への無駄な電源供給が防止される。
【００３３】
また、電圧降下素子としてのダイオードＤ１、Ｄ２がアンテナ駆動電圧生成回路１１とアンテナ接続口５の接続線路１３に直接設けられるのではないので、電圧降下素子として設ける素子は、逆流防止作用を有するダイオードに限られず、電流が発生したときにトランジスタＱ１をオンにする電圧を生じる抵抗であってもよい。これにより回路設計の自由度が高まる。
【００３４】
なお、上記第１、第２の実施形態における電気機器は、BS／CSアンテナ４が着脱自在なＴＶ受像機１、２１であったが、接続口５に接続される外部機器は、BS／CSアンテナに限定されず、電気機器は、ＴＶ受像機に限定されない。外部機器としては、接続口５から供給される一定電圧により駆動されるものであればよく、例えば、ＵＳＢ接続されたメモリや小型電気機器であってもよい。また、外部機器として照明器具（電球）が接続口５に接続され、該照明器具が、接続口５を介して電気機器側から供給される一定電圧により発光するものであってもよい。
【符号の説明】
【００３５】
１  ディジタルテレビジョン受像機（電気機器）
４  外部アンテナ（外部機器）
５  アンテナ接続口（接続口）
７  電源回路（共通電源）
９  スイッチ
１０  スイッチ制御回路（スイッチ制御手段）
１１  アンテナ駆動電圧生成回路（駆動電圧生成回路）
１２  電流検出回路
１４  電流検出信号
１５  スイッチ回路
２１  ディジタルテレビジョン受像機（電気機器）
２２  電流検出回路
２３  別電源
Ｄ１  ダイオード（電圧降下素子）
Ｄ２  ダイオード（電圧降下素子）
【図１】
2013239954.tif 000003
【図２】
2013239954.tif 000004
【図３】
2013239954.tif 000005
【図４】
2013239954.tif 000006
【図５】
2013239954.tif 000007